(57)【要約】【課題】表示されている画像の特定の部分が指で隠れた状態が続くことを防止し、視認性を向上することができる、表示装置、表示方法、及び表示プログラムを提供すること。【解決手段】表示装置１は、画像を表示するディスプレイ２０と、タッチパネル１０と、タッチパネル１０に接触した利用者の指の位置を検出する位置検出部３１と、利用者の指の接触開始位置に対応する画像上の位置に対応するディスプレイ２０上の位置と、利用者の指の検出位置に対応するディスプレイ２０上の位置との距離に、１未満の所定係数を乗じた値を画像の表示位置の移動量とし、当該移動量が最小移動量以下となるまで、画像の表示位置を、接触開始位置に対応する画像上の位置に対応するディスプレイ２０上の位置から利用者の指の検出位置に対応するディスプレイ２０上の位置に向かう方向に所定周期で更新する表示制御部３２とを備える。【選択図】図１
2012093860.tif 000002
【特許請求の範囲】
【請求項１】
画像を表示する表示手段と、
前記表示手段の前面に設けられたタッチパネルと、
前記タッチパネルに接触した利用者の指の位置を検出する位置検出手段と、
前記位置検出手段により検出された利用者の指の接触開始位置に対応する前記画像上の位置に対応する前記表示手段上の位置と、前記位置検出手段により検出された利用者の指の検出位置に対応する前記表示手段上の位置との距離に、１未満の所定係数を乗じた値を前記画像の表示位置の移動量とし、当該移動量が最小移動量以下となるまで、前記画像の表示位置を、前記接触開始位置に対応する画像上の位置に対応する前記表示手段上の位置から前記位置検出手段により検出された利用者の指の検出位置に対応する前記表示手段上の位置に向かう方向に所定周期で更新する表示制御手段と、
を備える表示装置。
【請求項２】
前記表示制御手段は、当該表示制御手段による前記画像の表示位置の移動方向が特定方向に限定されている場合、前記接触開始位置に対応する前記画像上の位置に対応する前記表示手段上の位置と、前記位置検出手段により検出された利用者の指の検出位置に対応する前記表示手段上の位置との、前記特定方向の成分の距離に基づいて、前記移動量を算出する、
請求項１に記載の表示装置。
【請求項３】
前記画像は複数の項目からなるリストであり、
前記最小移動量は、前記リストの１項目当たりの表示幅又は表示高さである、
請求項１又は２に記載の表示装置。
【請求項４】
前記画像は地図であり、
前記表示制御手段は、前記所定係数を、前記地図の縮尺に応じて異なる値とする、
請求項１又は２に記載の表示装置。
【請求項５】
画像を表示手段に表示する表示ステップと、
前記表示手段の前面に設けられたタッチパネルに接触した利用者の指の位置を検出する位置検出ステップと、
前記位置検出ステップで検出された利用者の指の接触開始位置に対応する前記画像上の位置に対応する前記表示手段上の位置と、前記位置検出ステップで検出された利用者の指の検出位置に対応する前記表示手段上の位置との距離に、１未満の所定係数を乗じた値を前記画像の表示位置の移動量とし、当該移動量が最小移動量以下となるまで、前記画像の表示位置を、前記接触開始位置に対応する画像上の位置に対応する前記表示手段上の位置から前記位置検出手段により検出された利用者の指の検出位置に対応する前記表示手段上の位置に向かう方向に所定周期で更新する表示制御ステップと、
を含む表示方法。
【請求項６】
請求項５に記載の方法をコンピュータに実行させる表示プログラム。
【発明の詳細な説明】
【技術分野】
【０００１】
本発明は、表示装置、表示方法、及び表示プログラムに関する。
【背景技術】
【０００２】
従来、カーナビゲーション装置等において、ディスプレイに表示された地図を上下左右にスクロールさせたり、ディスプレイに表示されたリストを特定の方向にスクロールさせたりすることが行われている。ディスプレイに表示された情報をこのようにスクロールさせるための操作入力として、例えばタッチパネルやジョイスティック等を用いた操作入力が採用されている。
【０００３】
例えば、タッチパネルを用いた座標入力部による座標入力がある間は、入力座標の変化ベクトルに基づいたベクトルで表示画面をスクロールさせ、座標入力がなくなると、その座標入力がなくなる直前の入力座標の変化ベクトルに基づいたベクトルで表示画面をスクロールさせる制御を行う、画面のスクロール制御装置が提案されている（例えば、特許文献１参照）。
【先行技術文献】
【特許文献】
【０００４】
【特許文献１】特開平１０−１６１６２８号公報
【発明の概要】
【発明が解決しようとする課題】
【０００５】
しかしながら、上述の如き従来の装置では、ユーザがタッチパネル上で指を動かす（いわゆるドラッグ操作を行う）ことにより地図等の画像をスクロールさせる際、指の動きと一致するように画像がスクロールされていた。このため、指の直下に表示されている画像が常時指の下に隠れた状態が続いてしまい、視認性が悪くなる可能性があった。
【０００６】
本発明は、上記に鑑みてなされたものであって、表示されている画像の特定の部分が指で隠れた状態が続くことを防止し、視認性を向上することができる、表示装置、表示方法、及び表示プログラムを提供することを目的とする。
【課題を解決するための手段】
【０００７】
上述した課題を解決し、目的を達成するために、請求項１に記載の表示装置は、画像を表示する表示手段と、前記表示手段の前面に設けられたタッチパネルと、前記タッチパネルに接触した利用者の指の位置を検出する位置検出手段と、前記位置検出手段により検出された利用者の指の接触開始位置に対応する前記画像上の位置に対応する前記表示手段上の位置と、前記位置検出手段により検出された利用者の指の検出位置に対応する前記表示手段上の位置との距離に、１未満の所定係数を乗じた値を前記画像の表示位置の移動量とし、当該移動量が最小移動量以下となるまで、前記画像の表示位置を、前記接触開始位置に対応する画像上の位置に対応する前記表示手段上の位置から前記位置検出手段により検出された利用者の指の検出位置に対応する前記表示手段上の位置に向かう方向に所定周期で更新する表示制御手段と、を備える。
【０００８】
また、請求項２に記載の表示装置は、請求項１に記載の表示装置において、前記表示制御手段は、当該表示制御手段による前記画像の表示位置の移動方向が特定方向に限定されている場合、前記接触開始位置に対応する前記画像上の位置に対応する前記表示手段上の位置と、前記位置検出手段により検出された利用者の指の検出位置に対応する前記表示手段上の位置との、前記特定方向の成分の距離に基づいて、前記移動量を算出する。
【０００９】
また、請求項３に記載の表示装置は、請求項１又は２に記載の表示装置において、前記画像は複数の項目からなるリストであり、前記最小移動量は、前記リストの１項目当たりの表示幅又は表示高さである。
【００１０】
また、請求項４に記載の表示装置は、請求項１又は２に記載の表示装置において、前記画像は地図であり、前記表示制御手段は、前記所定係数を、前記地図の縮尺に応じて異なる値とする。
【００１１】
また、請求項５に記載の表示方法は、画像を表示手段に表示する表示ステップと、前記表示手段の前面に設けられたタッチパネルに接触した利用者の指の位置を検出する位置検出ステップと、前記位置検出ステップで検出された利用者の指の接触開始位置に対応する前記画像上の位置に対応する前記表示手段上の位置と、前記位置検出ステップで検出された利用者の指の検出位置に対応する前記表示手段上の位置との距離に、１未満の所定係数を乗じた値を前記画像の表示位置の移動量とし、当該移動量が最小移動量以下となるまで、前記画像の表示位置を、前記接触開始位置に対応する画像上の位置に対応する前記表示手段上の位置から前記位置検出手段により検出された利用者の指の検出位置に対応する前記表示手段上の位置に向かう方向に所定周期で更新する表示制御ステップと、を含む。
【００１２】
また、請求項６に記載の表示プログラムは、請求項５に記載の方法をコンピュータに実行させる。
【発明の効果】
【００１３】
請求項１に記載の表示装置、請求項５に記載の表示方法、及び請求項６に記載の表示プログラムによれば、位置検出手段により検出された利用者の指の接触開始位置に対応する画像上の位置に対応する表示手段上の位置と、位置検出手段により検出された利用者の指の検出位置に対応する表示手段上の位置との距離に、１未満の所定係数を乗じた値を画像の表示位置の移動量とし、当該移動量が最小移動量以下となるまで、画像の表示位置を、接触開始位置に対応する画像上の位置に対応する表示手段上の位置から位置検出手段により検出された利用者の指の検出位置に対応する表示手段上の位置に向かう方向に所定周期で更新するので、タッチパネルに接触した利用者の指の動きに遅れて追随するように画像の表示位置を更新することができ、表示されている画像の特定の部分が指で隠れた状態が続くことを防止し、視認性を向上することができる。
【００１４】
また、請求項２に記載の表示装置によれば、表示制御手段は、当該表示制御手段による画像の表示位置の移動方向が特定方向に限定されている場合、接触開始位置に対応する画像上の位置に対応する表示手段上の位置と、位置検出手段により検出された利用者の指の検出位置に対応する表示手段上の位置との、特定方向の成分の距離に基づいて、移動量を算出するので、画像が特定方向にのみスクロールする場合でも、表示されている画像の特定の部分が指で隠れた状態が続くことを防止し、視認性を向上することができる。
【００１５】
また、請求項３に記載の表示装置によれば、画像が複数の項目からなるリストの場合、最小移動量を、リストの１項目当たりの表示幅又は表示高さとしたので、表示手段の端部においてリストの項目が欠けた状態で当該リストの移動が停止することを防止できる。
【００１６】
また、請求項４に記載の表示装置によれば、画像が地図の場合、表示制御手段は、移動係数を地図の縮尺に応じて異なる値とするので、地図の縮尺に応じて、ユーザの指の動きに追随する地図の動きの遅れ具合を調整することができ、視認性を一層向上させることができる。例えば、地名や施設名等の表示情報の密度が高い広域地図が表示されている場合には利用者の指の動きと比較して地図をゆっくり移動させ、地名や施設名等の表示情報の密度が低い詳細地図が表示されている場合には利用者の指の動きに合わせて地図を素早く移動させることができる。
【図面の簡単な説明】
【００１７】
【図１】実施の形態に係る表示装置を例示するブロック図である。
【図２】表示制御処理のフローチャートである。
【図３】ディスプレイに地図が表示されている場合を例示した図であり、図３（ａ）は利用者の指がタッチパネルに接触を開始した状態を示す図、図３（ｂ）は利用者の指がタッチパネルに接触しながら移動した状態を示す図である。
【図４】ディスプレイに複数の項目からなるリストが表示されている場合を例示した図であり、図４（ａ）は利用者の指がタッチパネルに接触を開始した状態を示す図、図４（ｂ）は利用者の指がタッチパネルに接触しながら移動した状態を示す図である。
【発明を実施するための形態】
【００１８】
以下、本発明に係る表示装置、表示方法、及び表示プログラムの実施の形態について図面を参照しつつ詳細に説明する。ただし、この実施の形態によって本発明が限定されるものではない。
【００１９】
（構成）
最初に、実施の形態に係る表示装置の構成について説明する。図１は、本実施の形態１に係る表示装置を例示するブロック図である。図１に示すように、表示装置１は、タッチパネル１０、ディスプレイ２０、制御部３０、及びデータ記録部４０を備えている。
【００２０】
（構成−タッチパネル）
タッチパネル１０は、ユーザの指等で押圧されることにより、ディスプレイ２０に表示されている画像を移動させるための操作入力等を含む各種操作を受け付ける入力手段である。このタッチパネル１０は、透明又は半透明状に形成され、ディスプレイ２０の前面において当該ディスプレイ２０の表示面と重畳するように設けられている。このタッチパネル１０としては、例えば抵抗膜方式や静電容量方式等による操作位置検出手段を備えた公知のタッチパネルを使用することができる。
【００２１】
（構成−ディスプレイ）
ディスプレイ２０は、制御部３０の制御に基づいて画像を表示する表示手段である。なお、このディスプレイ２０の具体的な構成は任意であり、公知の液晶ディスプレイや有機ＥＬディスプレイの如きフラットパネルディスプレイを使用することができる。
【００２２】
（構成−制御部）
制御部３０は、表示装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態１に係る表示プログラムは、任意の記録媒体又はネットワークを介して表示装置１にインストールされることで、制御部３０の各部を実質的に構成する。
【００２３】
この制御部３０は、機能概念的に、位置検出部３１、及び表示制御部３２を備えている。位置検出部３１は、タッチパネル１０に接触した利用者の指の位置を所定の検出周期で検出する位置検出手段である。表示制御部３２は、ディスプレイ２０における情報の表示位置を所定の表示周期で更新する表示制御手段である。これらの制御部３０の各部によって実行される処理の詳細については後述する。
【００２４】
（構成−データ記録部）
データ記録部４０は、表示装置１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２５】
このデータ記録部４０は、地図情報データベース４１（以下、データベースをＤＢと略記する）を備えている。
【００２６】
地図情報ＤＢ４１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、対象地物データ（交差点、一時停止線、踏切、カーブ、ＥＴＣ料金所、高速出口等）、施設データ（各施設の位置、各施設の種別等）、地形データ、地図をディスプレイ２０に表示するための地図表示データ等を含んで構成されている。
【００２７】
（処理−表示制御処理）
次に、このように構成された表示装置１によって実行される表示制御処理について説明する。図２は表示制御処理のフローチャートである（以下の各処理の説明ではステップを「Ｓ」と略記する）。この表示制御処理は、例えば、表示装置１に電源が投入され、ディスプレイ２０に地図やリスト等の画像が表示された場合に起動される。
【００２８】
図２に示すように、表示制御処理が開始されると、位置検出部３１は、タッチパネル１０からの出力に基づき、利用者の指がタッチパネル１０に接触するまで待機し（ＳＡ１、Ｎｏ）、利用者の指がタッチパネル１０に接触した場合（ＳＡ１、Ｙｅｓ）、タッチパネル１０に接触を開始した際の利用者の指の位置（以下、必要に応じて「接触開始位置」）に対応する画像上の位置を特定する（ＳＡ２）。ここで、「接触開始位置に対応する画像上の位置」とは、画像と共に移動する座標系における、タッチパネル１０に接触を開始した際の利用者の指の位置の座標を意味する。
【００２９】
続いて、位置検出部３１は、ディスプレイ２０に表示されている画像の表示位置を更新すべきタイミングが到来するまで待機し（ＳＡ３、Ｎｏ）、画像の表示位置を更新すべきタイミングが到来した場合（ＳＡ３、Ｙｅｓ）、タッチパネル１０からの出力に基づき、タッチパネル１０に接触している利用者の指の位置（以下、必要に応じて「指位置」）を検出する（ＳＡ４）。なお、画像の表示位置を更新すべきタイミングは、例えば所定周期（例えば２０ｍｓ）で到来する。
【００３０】
次に、表示制御部３２は、ＳＡ２で特定された利用者の指の接触開始位置に対応する画像上の位置に対応するディスプレイ２０上の位置（以下、必要に応じて「ディスプレイ２０に表示されている画像上の位置」）と、ＳＡ４で位置検出部３１により検出された利用者の指の検出位置に対応するディスプレイ２０上の位置（以下、必要に応じて「ディスプレイ２０上の指位置」）とを特定する（ＳＡ５）。ここで、「ＳＡ２で特定された利用者の指の接触開始位置に対応する画像上の位置に対応するディスプレイ２０上の位置」とは、例えばディスプレイ２０の左上端を原点とする座標系における、ＳＡ２で特定された利用者の指の接触開始位置に対応する画像上の位置の座標を意味する。また、「ＳＡ４で位置検出部３１により検出された利用者の指の検出位置に対応するディスプレイ２０上の位置」とは、例えばディスプレイ２０の左上端を原点とする座標系における、ＳＡ４で位置検出部３１により検出された指位置の座標を意味する。
【００３１】
続いて、表示制御部３２は、画像の表示位置の移動量を算出する（ＳＡ６）。具体的には、表示制御部３２は、ＳＡ５で特定したディスプレイ２０に表示されている画像上の位置とディスプレイ２０上の指位置との距離に、１未満の所定係数（例えば０．４）を乗じた値を、画像の表示位置の移動量とする。
【００３２】
なお、ディスプレイ２０に表示されている画像が地図である場合、表示制御部３２が、上記の所定係数を、地図の縮尺に応じて異なる値とするようにしてもよい。例えば、地図の縮尺から所定係数を算出する算出式を予めデータ記録部４０に記録しておき、この算出式を用いて、表示制御部３２が地図の縮尺から所定係数を算出するようにしてもよい。この場合、例えば地図の縮尺が大きくなるほど（すなわち、ディスプレイ２０に表示される地図が広域になるほど）所定係数が小さくなるようにすることで、ディスプレイ２０に表示される地図が広域地図の場合には地図の移動量を小さくし、ディスプレイ２０に表示される地図が詳細地図の場合には地図の移動量を大きくすることができる。これにより、地名や施設名等の表示情報の密度が高い広域地図が表示されている場合には利用者の指の動きと比較して地図をゆっくり移動させ、地名や施設名等の表示情報の密度が低い詳細地図が表示されている場合には利用者の指の動きに合わせて地図を素早く移動させることができる。
【００３３】
また、表示制御部３２は、当該表示制御部３２による画像の表示位置の移動方向が特定方向に限定されている場合（例えばディスプレイ２０に複数の項目からなるリストが表示されている場合において、画像の表示位置の移動方向がリストの項目の羅列方向に限定されている場合）、ディスプレイ２０に表示されている画像上の位置とディスプレイ２０上の指位置との、特定方向の成分の距離に基づいて、画像の表示位置の移動量を算出する。この場合、表示制御部３２は、例えば、ディスプレイ２０に表示されている画像上の位置とディスプレイ２０上の指位置との、特定方向の成分の距離に、所定係数を乗じた値を画像の表示位置の移動量とする。
【００３４】
続いて、表示制御部３２は、ＳＡ６で算出した移動量が最小移動量より大きいか否かを判定する（ＳＡ７）。この最小移動量としては、例えばディスプレイ２０に表示されている画像を移動可能な最小単位（例えば１ドット）を用いる。
【００３５】
また、ディスプレイ２０に表示されている画像が複数の項目からなるリストである場合には、最小移動量を、リストの１項目当たりの表示幅又は表示高さとしてもよい。この場合、リストの各項目が表示幅方向に羅列されている場合には、最小移動量はリストの１項目当たりの表示幅となり、リストの各項目が表示高さ方向に羅列されている場合には、最小移動量はリストの１項目当たりの表示高さとなる。
【００３６】
ＳＡ７の判定の結果、ＳＡ６で算出した移動量が最小移動量より大きくない（最小移動量以下である）場合（ＳＡ７、Ｎｏ）、制御部３０はＳＡ３に戻る。
【００３７】
一方、ＳＡ７の判定の結果、ＳＡ６で算出した移動量が最小移動量より大きい場合（ＳＡ７、Ｙｅｓ）、表示制御部３２は、画像の表示位置を、ディスプレイ２０に表示されている画像上の位置からディスプレイ２０上の指位置に向かう方向に、ＳＡ６で算出した移動量移動させて更新する（ＳＡ８）。以降、制御部３０はＳＡ３からＳＡ８の処理を繰り返す。これにより、ディスプレイ２０に表示されている画像の表示位置は、表示制御部３２により所定周期（例えば２０ｍｓ）で更新される。
【００３８】
図３はディスプレイ２０に地図が表示されている場合を例示した図であり、図３（ａ）は利用者の指がタッチパネル１０に接触を開始した状態を示す図、図３（ｂ）は利用者の指がタッチパネル１０に接触しながら移動した状態（いわゆるドラッグ操作を行った状態）を示す図である。図２のＳＡ８で表示制御部３２が地図の表示位置を更新することにより、ディスプレイ２０に表示されている画像上の位置（図３中のＡ）からディスプレイ２０上の指位置（図３中のＢ）に向かう方向（図３（ｂ）の矢印）に、地図の表示位置が順次更新される。すなわち、図３（ｂ）に示すように、タッチパネル１０に接触した利用者の指の動きに遅れて追随するように地図の表示位置が更新される。図３の例では、利用者の指がタッチパネル１０に接触を開始した時点では利用者の指の下に隠れていたアイコン（図３（ａ）の「Ｔ」のアイコン」が、利用者の指の動きに遅れて追随することで視認可能となる（図３（ｂ）の状態）。
【００３９】
また、図４はディスプレイ２０に複数の項目からなるリストが表示されている場合を例示した図であり、図４（ａ）は利用者の指がタッチパネル１０に接触を開始した状態を示す図、図４（ｂ）は利用者の指がタッチパネル１０に接触しながら移動した状態（いわゆるドラッグ操作を行った状態）を示す図である。図２のＳＡ８で表示制御部３２が地図の表示位置を更新することにより、ディスプレイ２０に表示されている画像上の位置（図４中のＣ）からディスプレイ２０上の指位置（図４中のＤ）に向かう方向の特定方向の成分（図４（ｂ）の矢印）に応じて、リストの表示位置が順次更新される。すなわち、図４（ｂ）に示すように、タッチパネル１０に接触した利用者の指の動きの特定方向の成分に遅れて追随するようにリストの表示位置が更新される。図４の例では、利用者の指がタッチパネル１０に接触を開始した時点では利用者の指の下に隠れていたボタン（図４（ａ）の「岡崎市」のボタン」が、利用者の指の動きに遅れて追随することで視認可能となる（図４（ｂ）の状態）。
【００４０】
なお、図２のＳＡ３からＳＡ８の処理と並行して、位置検出部３１は、タッチパネル１０からの出力に基づき利用者の指がタッチパネル１０から離れたか否かを監視し、利用者の指がタッチパネル１０から離れた場合、その時点でＳＡ１に戻る。
【００４１】
（効果）
このように本実施の形態によれば、ディスプレイ２０に表示されている画像上の位置とディスプレイ２０上の指位置との距離に、１未満の所定係数を乗じた値を画像の表示位置の移動量とし、当該移動量が最小移動量以下となるまで、画像の表示位置を、ディスプレイ２０に表示されている画像上の位置からディスプレイ２０上の指位置に向かう方向に所定周期で更新するので、タッチパネル１０に接触した利用者の指の動きに遅れて追随するように画像の表示位置を更新することができ、表示されている画像の特定の部分が指で隠れた状態が続くことを防止し、視認性を向上することができる。
【００４２】
また、表示制御部３２は、当該表示制御部３２による画像の表示位置の移動方向が特定方向に限定されている場合、ディスプレイ２０に表示されている画像上の位置とディスプレイ２０上の指位置との、特定方向の成分の距離に基づいて、画像の表示位置の移動量を算出するので、画像が特定方向にのみスクロールする場合でも、表示されている画像の特定の部分が指で隠れた状態が続くことを防止し、視認性を向上することができる。
【００４３】
また、画像が複数の項目からなるリストの場合、最小移動量を、リストの１項目当たりの表示幅又は表示高さとしたので、ディスプレイ２０の端部においてリストの項目が欠けた状態で当該リストの移動が停止することを防止できる。
【００４４】
また、画像が地図の場合、表示制御部３２は、移動係数を地図の縮尺に応じて異なる値とするので、地図の縮尺に応じて、ユーザの指の動きに追随する地図の動きの遅れ具合を調整することができ、視認性を一層向上させることができる。例えば、地名や施設名等の表示情報の密度が高い広域地図が表示されている場合には利用者の指の動きと比較して地図をゆっくり移動させ、地名や施設名等の表示情報の密度が低い詳細地図が表示されている場合には利用者の指の動きに合わせて地図を素早く移動させることができる。
【００４５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００４７】
（表示制御処理について）
上述の実施の形態では、図２の表示制御処理において、位置検出部３１が指位置を検出する度に（ＳＡ４）、表示制御部３２がディスプレイ２０に表示されている画像の表示位置を更新する（ＳＡ８）場合を例として説明したが、指位置の検出周期と画像の表示位置を更新する表示周期とを異なる値としてもよい。
【符号の説明】
【００４８】
１  表示装置
１０  タッチパネル
２０  ディスプレイ
３０  制御部
３１  位置検出部
３２  表示制御部
４０  データ記録部
４１  地図情報ＤＢ
【図１】
2012093860.tif 000003
【図２】
2012093860.tif 000004
【図３】
2012093860.tif 000005
【図４】
2012093860.tif 000006